(57)【特許請求の範囲】
【請求項１】
マザースコープのガイドチャンネルに挿入されたベビースコープの可撓性挿入部が上記ガイドチャンネルの入口手前で小さな曲率半径で曲がるのを防止するために、上記ベビースコープの可撓性挿入部が通過するように上記マザースコープのガイドチャンネルの入口に突出して取り付けられた内視鏡挿入補助具において、
内側を通過する上記ベビースコープの可撓性挿入部を側方から指先で直接挟み付けて上記マザースコープのガイドチャンネル内に押し込むためのベビースコープ把持窓が形成されていることを特徴とする内視鏡挿入補助具。
【請求項２】
上記ベビースコープ把持窓が、内側を通過する上記ベビースコープの可撓性挿入部の軸線と平行の方向に細長い長孔状に形成されている請求項１記載の内視鏡挿入補助具。
【請求項３】
上記ベビースコープの可撓性挿入部が通過する部分の少なくとも一部分が弾力性のある部材によって形成されていて、その部分に上記ベビースコープ把持窓が形成されている請求項１又は２記載の内視鏡挿入補助具。
【請求項４】
上記ベビースコープの可撓性挿入部が通過する部分に剛性の筒状部が形成されていて、その筒状部に上記ベビースコープ把持窓が形成されている請求項１又は２記載の内視鏡挿入補助具。
【発明の詳細な説明】
【０００１】
【発明の属する技術分野】
この発明は、マザースコープのガイドチャンネルに挿入されたベビースコープの可撓性挿入部がガイドチャンネルの入口手前で小さな曲率半径で曲がるのを防止するための内視鏡挿入補助具に関する。
【０００２】
【従来の技術】
図７は従来の挿入補助具３０を例示しており、ベビースコープの可撓性挿入部２１が通過するように先細りのテーパ筒状に形成された挿入補助具３０が、マザースコープのガイドチャンネル１１の挿入口口金１２に突出して取り付けられている。
【０００３】
この図では、挿入補助具３０はほぼ全体が弾力性のあるゴム製であり、基端側にインサートされた金属製の係合口金３１がマザースコープの挿入口口金１２に対して係脱自在に係合している。
【０００４】
【発明が解決しようとする課題】
上述のような構成の従来の挿入補助具３０は、マザースコープのガイドチャンネル１１に挿入されたベビースコープの可撓性挿入部２１がガイドチャンネル１１の挿入口口金１２の手前側で小さな曲率半径で折れ曲がるのを防止する効果を有している。
【０００５】
しかし、ベビースコープの可撓性挿入部２１を挿入していく際には、図７に示されるように、ベビースコープの可撓性挿入部２１を挿入補助具３０の入口の手前側位置において指先で摘んで押し込むので、図８に示されるように、挿入補助具３０の入口の手前側でベビースコープ２０の可撓性挿入部２１が折れ曲がって座屈、破損してしまうことが少なくなかった。１０はマザースコープである。
【０００６】
そこで本発明は、ベビースコープの可撓性挿入部を座屈させずにマザースコープのガイドチャンネルに確実かつ容易に押し込み挿入することができる内視鏡挿入補助具を提供することを目的とする。
【０００７】
【課題を解決するための手段】
上記の目的を達成するため、本発明の内視鏡挿入補助具は、マザースコープのガイドチャンネルに挿入されたベビースコープの可撓性挿入部がガイドチャンネルの入口手前で小さな曲率半径で曲がるのを防止するために、ベビースコープの可撓性挿入部が通過するようにマザースコープのガイドチャンネルの入口に突出して取り付けられた内視鏡挿入補助具において、内側を通過するベビースコープの可撓性挿入部を側方から指先で直接挟み付けてマザースコープのガイドチャンネル内に押し込むためのベビースコープ把持窓を形成したものである。
【０００８】
なお、ベビースコープ把持窓が、内側を通過するベビースコープの可撓性挿入部の軸線と平行の方向に細長い長孔状に形成されていてもよく、ベビースコープの可撓性挿入部が通過する部分の少なくとも一部分が弾力性のある部材によって形成されていて、その部分にベビースコープ把持窓が形成されていてもよい。
【０００９】
また、ベビースコープの可撓性挿入部が通過する部分に剛性の筒状部が形成されていて、その筒状部にベビースコープ把持窓が形成されていてもよい。
【００１０】
【発明の実施の形態】
図面を参照して本発明の実施の形態を説明する。
図４は、マザースコープ１０とベビースコープ２０が組み合わせて使用されている状態を示しており、ベビースコープ２０の可撓性挿入部２１がマザースコープ１０のガイドチャンネル１１に挿通されて、ベビースコープ２０の可撓性挿入部２１の先端部分２１ａが、マザースコープ１０の挿入部の先端に位置するガイドチャンネル１１の先端から突出している。
【００１１】
マザースコープ１０のガイドチャンネル１１の入口に設けられた挿入口口金１２には、その手前でベビースコープ２０の可撓性挿入部２１が小さな曲率半径で曲がるのを防止するための挿入補助具３０が、外方に突出した状態に取り付けられている。
【００１２】
図１は、その部分の断面を拡大して図示しており、挿入口口金１２は例えばルアーロック雄口金状に形成されてマザースコープ１０のガイドチャンネル１１の入口部分に突設されている。
【００１３】
そして、挿入補助具３０には、弾力性のあるゴム等によって形成された弾力変形部３０ａの基端部に、ルアーロック雌口金状に形成された金属製の係合口金３１が一体に形成されていて、その係合口金３１が挿入口口金１２に係脱自在に係合することにより、挿入補助具３０が挿入口口金１２に対して固定／解除自在になっている。
【００１４】
挿入補助具３０の弾力変形部３０ａは、外径が先側へ徐々に細くなるテーパ筒状に形成されていて、軸線位置に形成されたベビースコープ通過孔３２は、ベビースコープ２０の可撓性挿入部２１が緩く挿通される程度の径に形成されている。
【００１５】
したがって、ベビースコープ通過孔３２内からマザースコープ１０のガイドチャンネル１１内に挿入されたベビースコープ２０の可撓性挿入部２１は、曲げ方向の外力が加わると弾力変形部３０ａ部分で徐々に滑らかに曲がり、小さな曲率半径で折れ曲がる状態にならない。
【００１６】
また、ベビースコープ通過孔３２の内端近傍位置には、可撓性挿入部２１の外径寸法より若干小さな内径の環状の薄い漏れ止め弁３３が形成されており、漏れ止め弁３３が可撓性挿入部２１の外周面に密着することにより、先端側からガイドチャンネル１１内を伝ってくる汚液が噴出するのを防止している。
【００１７】
そのような挿入補助具３０に、内側を通過するベビースコープ２０の可撓性挿入部２１を指先で直接挟み付けるためのベビースコープ把持窓３５が開口形成されている。この実施の形態においては、ベビースコープ把持窓３５は挿入補助具３０の弾力変形部３０ａに孔をあけて形成されている。
【００１８】
ベビースコープ把持窓３５は、挿入補助具３０の側面図である図２にも示されるように、軸線と平行の方向に細長い（したがって、内側を通過するベビースコープ２０の可撓性挿入部２１の軸線方向に細長い）長孔状に、１８０°対称の位置に一対形成されている。
【００１９】
したがって、図３に示されるように、ベビースコープ２０の可撓性挿入部２１を側方両側から指先で直接挟み付けて、マザースコープ１０のガイドチャンネル１１内に押し込むことができる。
【００２０】
その際、ベビースコープ２０の可撓性挿入部２１のうち押し込み操作によって座屈しそうになる部分は挿入補助具３０内に納まっているので、ベビースコープ２０の可撓性挿入部２１を座屈させることなくマザースコープ１０のガイドチャンネル１１内に挿入することができる。
【００２１】
図５は、本発明の第２の実施の形態の挿入補助具３０を示しており、挿入補助具３０を、係合口金３１部分も含めて弾力性のあるゴムだけで完全に一体に形成したものであり、ベビースコープ把持窓３５部分は上述の第１の実施の形態と同じである。
【００２２】
図６は、本発明の第３の実施の形態の挿入補助具３０を示しており、テーパ筒状の弾力変形部３０ａと金属製の係合口金３１部分との間を金属製又は剛性のあるプラスチック製の連結筒３６で連結し、その連結筒３６にベビースコープ把持窓３５を形成したものである。
【００２３】
また、この実施の形態の漏れ止め弁３３は、柔らかいゴム材料によって単独部品として環状に形成されて、係合口金３１と連結筒３６との間に挟み付けられて配置されている。
【００２４】
このように本発明が適用される挿入補助具３０は各種の態様を取り得るものであり、各々において、ベビースコープ２０の可撓性挿入部２１を座屈させることなくマザースコープ１０のガイドチャンネル１１内に押し込むことができる効果を得ることができる。
【００２５】
【発明の効果】
本発明の内視鏡挿入補助具は、内側を通過するベビースコープの可撓性挿入部を側方から指先で直接挟み付けてマザースコープのガイドチャンネル内に押し込むためのベビースコープ把持窓を形成したことにより、ベビースコープの可撓性挿入部のうち押し込み操作によって座屈しそうになる部分が挿入補助具内に納まっていて折れ曲がることができないので、ベビースコープの可撓性挿入部を座屈させずにマザースコープのガイドチャンネルに確実かつ容易に押し込み挿入することができる。
【図面の簡単な説明】
【図１】本発明の第１の実施の形態の内視鏡挿入補助具の正面断面図である。
【図２】本発明の第１の実施の形態の内視鏡挿入補助具の側面図である。
【図３】本発明の第１の実施の形態の内視鏡挿入補助具の挿入操作状態の正面断面図である。
【図４】本発明の第１の実施の形態の挿入補助具が用いられたマザースコープとベビースコープの外観図である。
【図５】本発明の第２の実施の形態の内視鏡挿入補助具の正面断面図である。
【図６】本発明の第３の実施の形態の内視鏡挿入補助具の正面断面図である。
【図７】従来の内視鏡挿入補助具の正面断面図である。
【図８】従来の挿入補助具が用いられたマザースコープとベビースコープの使用状態の外観図である。
【符号の説明】
１０  マザースコープ
１１  ガイドチャンネル
１２  挿入口口金
２０  ベビースコープ
２１  可撓性挿入部
３０  挿入補助具
３０ａ  弾力変形部
３１  係合口金
３２  ベビースコープ通過孔
３５  ベビースコープ把持窓
３６  連結筒
【図１】
0004406135.tif 000002
【図２】
0004406135.tif 000003
【図３】
0004406135.tif 000004
【図４】
0004406135.tif 000005
【図５】
0004406135.tif 000006
【図６】
0004406135.tif 000007
【図７】
0004406135.tif 000008
【図８】
0004406135.tif 000009